(57)【要約】【課題】  本発明は、軽量で容易に運搬ができ、迅速かつ容易に組立ができ、浮き上がったり、ズレが生ずることのない簡易堤防を提供することを目的とする。【解決手段】    本発明に係る簡易堤防Ａは、矩形の覆い板１０と、該覆い板１０と同幅の矩形をなし、該覆い板１０の略中間高さの位置からヒンジ結合にて連設された支承板２０と、覆い板１０と支承板２０とのいずれか一方にヒンジ結合され、覆い板１０が支承板２０に支承された設置状態において覆い板１０と支承板２０との左右端により形成される下部の三角状領域を閉塞する閉塞板３０と、覆い板１０の下端に接着した、覆い板１０が支承板２０に支承された設置状態において支承板２０の下を通過する長さを有する堤防被覆シート４０と、さらに堤防被覆シート４０に連設した浸食防止シート５０とからなるものである。【選択図】                          図４
2010261250.tif 000002
【特許請求の範囲】
【請求項１】
矩形の覆い板と、該覆い板の略中間高さの位置からヒンジ結合にて連設された支承板とからなり、
支承板側が水域側に向けて堤防上に並置されるものであることを特徴とする可搬型折りたたみ式簡易堤防。
【請求項２】
覆い板が支承板に支承された設置状態において覆い板と支承板との左右端により形成される下部の三角状領域を閉塞する閉塞片を設けたことを特徴とする請求項１に記載の可搬型折りたたみ式簡易堤防。
【請求項３】
覆い板下端に、覆い板が支承板に支承された設置状態において支承板の下を通過する長さを有する堤防被覆シートを設けたことを特徴とする請求項１又は２に記載の可搬型折りたたみ式簡易堤防。
【請求項４】
覆い板下端に、覆い板が支承板に支承された設置状態において支承板が位置するのとは逆側に延出する浸食防止片を設けたことを特徴とする請求項１〜３のいずれか１項に記載の可搬型折りたたみ式簡易堤防。
【請求項５】
支承板において、その少なくとも上下端に通水口を設けたことを特徴とする請求項１〜４のいずれか１項に記載の可搬型折りたたみ式簡易堤防。
【発明の詳細な説明】
【技術分野】
【０００１】
本発明は、河川の氾濫などによる堤防の越水防止ために、迅速かつ簡単に設置して水害を防止する可搬型折りたたみ式簡易堤防（以下、単に「簡易堤防」という。）に関する。
【背景技術】
【０００２】
古くから河川などの越水防止として、土嚢を積み上げたり、堰板を設置するなどの対策がとられている。また、近年、特許文献１に示されるように、垂直壁で構成される複数の四角い枠体を連設し、その前側フレーム下端部から底シートを延設し、アンカーピンにより固定する越水防止装置が提案されており、平時には自治体の倉庫などに小さく折り畳んで収納しておき、河川の増水時などの必要に応じて設置し、底シートの上に土砂や土嚢などを積載して使用するものである。
【０００３】
さらに、特許文献２に示されるように、通常は折り畳んで収納庫に収めておき、緊急時に堤防上に持ち出し、水を注入して膨らませる三角柱型や枕型の形状のものであって、これを必要な高さに積み上げて固定して臨時の堤防を形成する折り畳み式の簡易フェンスが提案されている。
【０００４】
しかしながら、上記特許文献１に記載の越水防止装置は、現場における組立に時間と労力を要し、しかも、四角い枠体内に土嚢を詰めなければならず、緊急時に間に合わないおそれがある。また、上記特許文献２に記載の簡易フェンスは、水を注入するのに時間と労力を要し、緊急時に間に合わないおそれがある。
【０００５】
そこで、図６に示すように、輸送労力軽減のために軽量で、即座に組立が可能なフレーム型簡易堤防１００が提案された。このフレーム型簡易堤防１００は、水平設置部を形成する水平シャフト１１１と該水平シャフト１１１から傾斜して連設された傾斜シャフト１１２とからなるフレーム１１０と該フレーム１１０と着脱可能な止水板１２０とからなるものである。
【先行技術文献】
【特許文献】
【０００６】
【特許文献１】特開２００６−２８３５０５号公報
【特許文献２】特開２００５−２２０７２１号公報
【発明の概要】
【発明が解決しようとする課題】
【０００７】
しかしながら、上記のフレーム型簡易堤防１００は、図５において、図の右側に水面が来る場合、止水板１２０の上面に水圧がかかるため、止水板１２０を剛性の高い材料で製作することが必要となり、また、フレーム１１０も剛性の高い材料で製作することが必要となる。また、図５において、図の左側に水面が来る場合、止水板１２０の下面に水圧がかかるため、止水板１２０の剛性は弱くてもよいが、浮き上がりやズレが生ずる問題がある。
【０００８】
そこで、本発明は、上記従来品の欠点を解消し、軽量で容易に運搬ができ、迅速かつ容易に組立ができ、浮き上がったり、ズレが生ずることのない簡易堤防を提供することを目的とする。
【課題を解決するための手段】
【０００９】
本発明に係る簡易堤防は、矩形の覆い板と、該覆い板の略中間高さの位置からヒンジ結合にて連設された支承板とからなり、支承板側が水域側に向けて堤防上に並置されるものであることを特徴とするものである。また、覆い板が支承板に支承された設置状態において覆い板と支承板との左右端により形成される下部の三角状領域を閉塞するシートや板からなる閉塞片を設けた構成としてもよい。さらに、覆い板下端に、覆い板が支承板に支承された設置状態において支承板の下を通過する長さを有する堤防被覆シートを設けた構成としてもよい。さらにまた、覆い板下端に、覆い板が支承板に支承された設置状態において支承板が位置するのとは逆側に延出するシートや板からなる浸食防止片を設けた構成としてもよい。また、支承板において、その少なくとも上下端に通水口を設けた構成としてもよい。
【発明の効果】
【００１０】
上記のように構成した本発明に係る簡易堤防は、部材が少ないことにより軽量であるため運搬が容易であり、また、構造が簡単であるため組立が極めて簡単であり、短時間で運搬及び組立ができるので、緊急時に十分対応できるものである。また、該簡易堤防は、その支承板にて低位の越水を受け止めて越水を防ぐことができる。一方、高位の越水は覆い板にて受け止め、その際は支承板が水没しているために、その水圧を閉塞片が受け止めながら水圧が支承板を加圧するので、簡易堤防がズレたり浮き上がったりするのを防止でき、安定して高位の越水を防ぐことができる。なお、閉塞片を板で形成した場合には、支承板にかかる水圧を閉塞片が受け止めて支えるので、簡易堤防全体の安定性が向上する。堤防被覆シートを設けた場合には、堤防上面に凹凸があり、堤防上面と簡易堤防との間に隙間が生じていても、この堤防被覆シートにより隙間が覆い隠されるので、堤防上面と簡易堤防との隙間からの越水を防止することができ、堤防内部に水が侵入するのを防止する。浸食防止片を設けた場合には、簡易堤防を越水した水により簡易堤防の背面部の土が浸食されるのを防止することができる。支承板の上下端に通水口を設けた場合には、上下の通水口から水が侵入すれば、内部の空気が排出されるので、簡易堤防の浮き上がりが防止でき、また、堤防被覆シートとの組合せにより簡易堤防の自重が増加するので、摩擦抵抗が上がってズレることがより一層防止できる。また水が引いたときには、下端の通水口から水が排出されるので、折り畳んで片付ける際に便利である。
【図面の簡単な説明】
【００１１】
【図１】実施例１に係る簡易堤防を２個組み立てた状態を示す斜視図である。
【図２】実施例１に係る簡易堤防の断面図である。
【図３】実施例１に係る簡易堤防の折り畳んだ状態を示す斜視図である。
【図４】実施例１に係る簡易堤防の使用状態図である。
【図５】実施例１に係る簡易堤防の使用状態における断面図である。
【図６】従来例を示す斜視図である。
【発明を実施するための形態】
【００１２】
以下に本発明の一実施例を添付の図面に基づいて説明する。
【実施例】
【００１３】
図１〜図３において、Ａは簡易堤防を示し、該簡易堤防Ａは、主として覆い板１０、支承板２０、閉塞板３０、堤防被覆シート４０及び浸食防止シート５０にて構成される。
【００１４】
覆い板１０は、幅約９００ｍｍで長さ約１２００ｍｍの矩形のコンクリートパネル製で構成される。支承板２０は、覆い板１０と同幅の約９００ｍｍで長さ約１０００ｍｍの矩形のコンクリートパネルで構成され、覆い板１０の長さ方向約５７７ｍｍの位置から蝶番ｈによりヒンジ結合にて連設されている。なお、支承板２０は、覆い板１０と必ずしも同幅に形成しなくてもよい。また、支承板２０には、その上下端に上部通水口２０ａと下部通水口２０ｂが設けられている。閉塞板３０は、支承板２０に蝶番ｈによりヒンジ結合され、覆い板１０が支承板２０に支承された設置状態において覆い板１０と支承板２０との左右端により形成される下部の三角状領域を閉塞し、覆い板１０と支承板２０とを支持するようになっている。このように構成したことにより、組立時において、奥行き約１１７０ｍｍで高さ約１０００ｍｍの簡易堤防Ａが完成する。なお、覆い板１０、支承板２０及び閉塞板３０は組立時おいて隣接する各板同士が固定されるように留め具（不図示）を設けている。なお、閉塞板３０は、板材により形成されるものに限られるものではなく、防水シート等の布帛にて形成してもよい。
【００１５】
堤防被覆シート４０は、覆い板１０下端に接着して設けられている。この堤防被覆シート４０は、覆い板１０が支承板２０に支承された設置状態において支承板２０の下を通過する適宜の長さを有している。
【００１６】
浸食防止シート５０は、覆い板１０の下端に、覆い板１０が支承板２０に支承された設置状態において支承板１０が位置するのとは逆側に延出するように、堤防被覆シート４０に接着されている。なお、浸食防止シート５０を板材にて構成すね場合には、覆い板１０の下端に蝶番によりヒンジ結合する。
【００１７】
以上のように簡易堤防Ａを構成したことにより、覆い板１０の上に支承板２０を、閉塞板３０を上側して折り重ねる。そして、閉塞板３０を支承板２０側に折り重ねて、堤防被覆シート４０を巻回する。このように操作すれば、図３に示すように折り畳んだコンパクトな状態にすることができる。前記の折り畳み操作を逆にすれば簡単に組み立てることができる。
【００１８】
図４及び図５は、堤防Ｂ上に簡易堤防Ａを並置した状態を示し、堤防被覆シート４０は堤防Ｂから河川側の斜面に垂下するように設置し、浸食防止シート５０は簡易堤防の背面部側の堤防を被覆するように設置する。
【００１９】
このように設置すれば、低位の越水は、簡易堤防Ａの支承板２０にて受け止められ、越水を防ぐことができる。その際、支承板２０の下端の通水口２０ｂから水が侵入すると共に簡易堤防Ａの内部の空気が排出されるので、簡易堤防Ａの浮き上がりが防止できる。また、簡易堤防Ａ内に侵入した水により簡易堤防Ａの自重が増加するので、摩擦抵抗が上がってズレることがより一層防止できる。
【００２０】
高位の越水は、支承板２０が水没している状態で覆い板１０にて受け止められ、越水を防ぐことができる。その際は支承板２０に水圧がかかり、この水圧は閉塞板３０により受け止められ、簡易堤防Ａが水圧により破損することを防止する。また、その水圧は支承板２０を加圧するので、簡易堤防Ａがズレたり浮き上がったりするのを防止できる。しかも上下の通水口２０ａ、２０ｂから簡易堤防Ａ内水が侵入して充満し、内部の空気が排出されると共に簡易堤防Ａの自重が増加するので、簡易堤防Ａの浮き上がりが防止でき、また、摩擦抵抗が上がって簡易堤防Ａのズレがより一層防止でき、安定して高位の越水を防ぐことができる。
【００２１】
堤防被覆シート４０は、低位の越水時及び高位の越水時のいずれの場合でも、水没して水圧がかかって固定される状態となるので、簡易堤防Ａがずれるのを防ぐ役目を果たす。また、堤防Ｂの上面に凹凸があり、堤防Ｂの上面と簡易堤防Ａとの間に隙間が生じていても、この堤防被覆シート４０により隙間が覆い隠されるので、堤防Ｂの上面と簡易堤防Ａとの隙間からの越水を防止することができる。
【００２２】
なお、下端の通水口２０ｂは、水が引いたときには、この通水口２０ｂから水が排出されるので、簡易堤防Ａを折り畳んで片付ける際に便利である。
【００２３】
浸食防止シート５０は、簡易堤防Ａを水が越水しても、当該水により簡易堤防Ａの背面部の土が浸食されるのを防止することができるので、堤防決壊を防止する機能を果たす。
【００２４】
このように構成した本実施例に係る簡易堤防Ａは、覆い板１０、支承板２０、閉塞板３０及び堤防被覆シート４０にて構成されるので、部材が少ないことにより軽量であるため運搬が容易であり、また、構造が簡単であるため組立が極めて簡単であり、短時間で運搬及び組立ができるので、緊急時に十分対応できるものである。
【産業上の利用可能性】
【００２５】
本発明に係る簡易堤防は、河川・湖沼あるいは貯水池などの水域における増水時における堤防の嵩上げ、道路冠水時の水侵入防止壁に利用することができる。
【符号の説明】
【００２６】
Ａ……簡易堤防
Ｂ……堤防
１０……覆い板
２０……支承板
２０ａ……支承板上端の通水口
２０ｂ……支承板下端の通水口
３０……閉塞板
４０……堤防被覆シート
５０……浸食防止シート
ｈ……蝶番
【図１】
2010261250.tif 000003
【図２】
2010261250.tif 000004
【図３】
2010261250.tif 000005
【図４】
2010261250.tif 000006
【図５】
2010261250.tif 000007
【図６】
2010261250.tif 000008